(57)【要約】      （修正有）【課題】複数の箱を積み重ねた際の荷崩れを防止することができると共に、内部に収容される物品を傷付けるおそれが低く、かつ積み重ね作業性及び積み下ろし作業性に優れる箱用シートを提供する。【解決手段】略方形状の底板部１、及びこの底板部の側辺から延出する４つの側板部２〜５を備え、トレイ状の箱に組み立てられる１枚のシートからなる箱用シートであって、対向する一対の側板部の上縁の一部から延出し、組立状態で折り曲げられることで隣接する側板部の上縁に載置される複数の折曲部６ａ〜６ｄを備え、組立状態における平面視で上記底板部の上記複数の折曲部と重なり合う位置に切欠き１０ａ〜１０ｄが形成されている。対向する他対の側板部の上縁から延出し、組立状態で上記折曲部を下側から支持する一対の支持片８，９を有するとよい。上記複数の折曲部が、組立状態における平面視で上記底板部の４隅に対応する位置に配設されているとよい。【選択図】図１
0003202074.tif 000002
【実用新案登録請求の範囲】
【請求項１】
略方形状の底板部、及びこの底板部の側辺から延出する４つの側板部を備え、トレイ状の箱に組み立てられる１枚のシートからなる箱用シートであって、
対向する一対の側板部の上縁の一部から延出し、組立状態で折り曲げられることで隣接する側板部の上縁に載置される複数の折曲部を備え、
組立状態における平面視で上記底板部の上記複数の折曲部と重なり合う位置に切欠きが形成されている箱用シート。
【請求項２】
対向する他対の側板部の上縁から延出し、組立状態で上記折曲部を下側から支持する一対の支持片を有する請求項１に記載の箱用シート。
【請求項３】
上記複数の折曲部が、組立状態における平面視で上記底板部の４隅に対応する位置に配設されている請求項１又は請求項２に記載の箱用シート。
【請求項４】
上記切欠きが、組立状態における平面視で上記折曲部と重なり合う上記側板部の下縁に連続して形成されている請求項１、請求項２又は請求項３に記載の箱用シート。
【請求項５】
上記一対の側板部の上記折曲部の延出部分の延出方向長さが、この一対の側板部の他の部分の延出方向長さ及び上記他対の側板部の延出方向長さよりも大きい請求項１から請求項４のいずれか１項に記載の箱用シート。
【考案の詳細な説明】
【技術分野】
【０００１】
本考案は、箱用シートに関する。
【背景技術】
【０００２】
従来、物品収容ケースとして、略方形状の底板、及びこの底板の側辺から上側に伸びる４つの側板を備えるトレイ状の箱が用いられている。このような箱は、一般的には底板の各辺の長さに対して厚みが小さい扁平状に形成されている。そのため、このような箱は、物品を収容した状態で他の箱と積み重ねて保管されることが多く、また他の箱と積み重ねた状態で店舗に置かれ商品陳列箱として用いられることもある。
【０００３】
しかしながら、このような箱を積み重ねて用いる場合、積み重ねの段数が多くなるに従い複数の箱の積層体のバランスが悪くなり、荷崩れのおそれが高くなる。そのため、今日ではこのような荷崩れを抑制できる箱として、例えば組立トレー（特開２０００−１９０９４７号公報参照）が発案されている。
【０００４】
この公報に記載の組立トレーは、方形状の底板及びこの底板の４辺から上側に延出する４つの側壁を有する。この組立トレーは、隣接する側壁同士の連結部に上側に突出する支持突起が形成されると共に、底板の隅部にこの支持突起を挿入可能な係合孔が設けられている。この組立トレーは、同様の構成を有する他の組立トレーと積み重ねる場合に、下側に配設される組立トレーの支持突起を上側に重畳される組立トレーの係合孔に挿入することによって、多段に積み重ねても各組立トレーのぐらつきを防止し、荷崩れを防ぐことができるとされている。
【０００５】
しかしながら、この組立トレーは、上側に重畳される組立トレーの係合孔に下側に配設される組立トレーの支持突起を挿入するものであるため、積み重ね状態で上側の底板内には下側から支持突起が突出している。そのため、この公報に記載の組立トレーは、底板内に突出した支持突起によって底板に載置された物品を傷付けるおそれがある。
【０００６】
また、この組立トレーは、他の組立トレーと積み重ねる場合、上側に重畳される組立トレーの係合孔と下側に配設される組立トレーの支持突起とを正確に位置合わせして支持突起を係合孔に挿入しなければならない。さらに、この組立トレーは、積み重ね状態から上側の組立トレーを積み下ろす場合、上側の組立トレーを持ち上げて支持突起を係合孔から抜き出す必要がある。そのため、この組立トレーは、他の組立トレーと積み重ねる場合、及び積み重ね状態から上側の組立トレーを積み下ろす場合のいずれの場合にも作業者は相当の注意をもって作業を行う必要がある。従って、この組立トレーは、例えば食品等を店舗に陳列するための商品陳列箱等のように比較的素早い積み重ね動作及び積み下ろし動作が必要とされる物品収容ケースとしては不向きである。
【先行技術文献】
【特許文献】
【０００７】
【特許文献１】特開２０００−１９０９４７号公報
【考案の概要】
【考案が解決しようとする課題】
【０００８】
本考案は、このような不都合に鑑みてなされたものであり、複数の箱を積み重ねた際の荷崩れを防止することができると共に、内部に収容される物品を傷付けるおそれが低く、かつ積み重ね作業性及び積み下ろし作業性に優れる箱用シートを提供することを目的とするものである。
【課題を解決するための手段】
【０００９】
上記課題を解決するためになされた本考案に係る箱用シートは、略方形状の底板部、及びこの底板部の側辺から延出する４つの側板部を備え、トレイ状の箱に組み立てられる１枚のシートからなる箱用シートであって、対向する一対の側板部の上縁の一部から延出し、組立状態で折り曲げられることで隣接する側板部の上縁に載置される複数の折曲部を備え、組立状態における平面視で上記底板部の上記複数の折曲部と重なり合う位置に切欠きが形成されている。
【００１０】
当該箱用シートは、底板部の側辺から延出する４つの側板部を上側に折り曲げた状態で保持することによって、底板及び４つの側板を有するトレイ状の箱に組み立てられる。当該箱用シートは、対向する一対の側板部の上縁の一部から延出し、組立状態で隣接する側板部の上縁に載置される複数の折曲部を有すると共に、底板部の複数の折曲部と重なり合う位置に切欠きが形成されているので、当該箱用シートを組み立ててなる複数の箱を積み重ねた際の荷崩れを防止することができる。つまり、当該箱用シートを組み立ててなる複数の箱を積み重ねる場合、下側に配設される箱の折曲部を上側に重畳される箱の切欠きに嵌合させることでこれらの箱のぐらつきを防止して荷崩れを防止することができる。また、当該箱用シートは、このように下側に配設される箱の折曲部を上側に重畳される箱の切欠きに嵌合するものであるため、複数の箱を積み重ねた状態で、下側の箱の折曲部は上側の箱の底板と略同一平面上に配設される。そのため、当該箱用シートは、下側の箱の折曲部によって上側の箱に収容される物品を傷付けるおそれが低い。また、当該箱用シートは、下側の箱の折曲部が上側の箱の底板と略同一平面上に配設されることによって、物品の収容スペースをより広く確保することができる。さらに、当該箱用シートは、複数の箱を積み重ねる際に、例えば一方の箱を他方の箱の真上に重ねたうえ、この一方の箱の切欠きが他方の箱の折曲部に嵌合するように一方の箱をスライドさせればよいので、複数の箱の積み重ね作業をスムーズに行うことができる。
【００１１】
対向する他対の側板部の上縁から延出し、組立状態で上記折曲部を下側から支持する一対の支持片を有するとよい。このように、対向する他対の側板部の上縁から延出し、組立状態で上記折曲部を下側から支持する一対の支持片を有することによって、複数の箱をさらに安定的に積み重ねることができる。また、かかる構成によると、組立状態における平面視で切欠きと重なり合う部分を一対の支持片が覆うので、切欠き部分を避けて物品を収容し易い。
【００１２】
上記複数の折曲部が、組立状態における平面視で上記底板部の４隅に対応する位置に配設されているとよい。このように、上記複数の折曲部が組立状態における平面視で上記底板部の４隅に対応する位置に配設されていることによって、当該箱用シートを組み立ててなる複数の箱がいずれの方向にぐらつくのも容易に防止することができ、これにより複数の箱をさらに安定的に積み重ねることができる。また、かかる構成によると、折曲部が物品の収容作業及び取り出し作業の妨げとなるおそれが低い。
【００１３】
上記切欠きが、組立状態における平面視で上記折曲部と重なり合う上記側板部の下縁に連続して形成されているとよい。このように、上記切欠きが組立状態における平面視で上記折曲部と重なり合う上記側板部の下縁に連続して形成されていることによって、複数の箱を容易かつ確実に積み重ねることができる。
【００１４】
上記一対の側板部の上記折曲部の延出部分の延出方向長さが、この一対の側板部の他の部分の延出方向長さ及び上記他対の側板部の延出方向長さよりも大きいとよい。このように、上記一対の側板部の上記折曲部の延出部分の延出方向長さが、この一対の側板部の他の部分の延出方向長さ及び上記他対の側板部の延出方向長さよりも大きいことによって、複数の箱をさらに安定的に積み重ねることができる。
【考案の効果】
【００１５】
以上説明したように、本考案の箱用シートは、複数の箱を積み重ねた際の荷崩れを防止することができると共に、内部に収容される物品を傷付けるおそれが低く、かつ積み重ね作業性及び積み下ろし作業性に優れる。
【図面の簡単な説明】
【００１６】
【図１】本考案の一実施形態に係る箱用シートを示す模式的平面図である。
【図２】図１の箱用シートを組み立ててなる箱を示す模式的斜視図である。
【図３】図２の箱を２個積み重ねた状態を示す模式的斜視図である。
【図４】図３の積み重ね状態を示す模式的側面図である。
【考案を実施するための形態】
【００１７】
以下、適宜図面を参照しつつ、本考案の実施の形態を詳説する。
【００１８】
［箱用シート］
図１の箱用シートは、１枚のシートからなる。当該箱用シートは、トレイ状の箱に組み立てられる。当該箱用シートは、略方形状の底板部１、及び底板部１の側辺から延出する４つの側板部（第一側板部２、第二側板部３、第三側板部４及び第四側板部５）を備える。当該箱用シートは、対向する一対の側板部（第一側板部２及び第三側板部４）の上縁の一部から延出し、組立状態で折り曲げられることで隣接する第二側板部３及び第四側板部５の上縁に載置される複数の折曲部６ａ〜６ｄを備える。また、当該箱用シートは、折曲部６ａ〜６ｄから第一側板部２及び第三側板部４の幅方向外側に延出し、組立状態で隣接する第二側板部３及び第四側板部５に連結される複数の連結片７ａ〜７ｄを備える。さらに、当該箱用シートは、対向する他対の側板部（第二側板部３及び第四側板部５）の上縁から延出する一対の支持片８，９を備える。加えて、底板部１には、組立状態における平面視で複数の折曲部６ａ〜６ｄと重なり合う位置に切欠き１０ａ〜１０ｄが形成されている。なお、本明細書において「上」とは、当該箱用シートを組み立ててなる箱における「上」を意味し、「下」とはその反対を意味する。また、「幅」とは、延出方向と垂直方向の長さを意味する。
【００１９】
当該箱用シートは、底板部１の側辺から延出する４つの側板部２〜５を上側に折り曲げた状態で保持することによって、底板及び４つの側板を有するトレイ状の箱に組み立てられる。当該箱用シートは、対向する一対の側板部（第一側板部２及び第三側板部４）の上縁の一部から延出し、組立状態で隣接する側板部（第二側板部３及び第四側板部５）の上縁に載置される複数の折曲部６ａ〜６ｄを有すると共に、底板部１の複数の折曲部６ａ〜６ｄと重なり合う位置に切欠き１０ａ〜１０ｄが形成されているので、当該箱用シートを組み立ててなる複数の箱を積み重ねた際の荷崩れを防止することができる。つまり、当該箱用シートを組み立ててなる複数の箱を積み重ねる場合、下側に配設される箱の折曲部を上側に重畳される箱の切欠きに嵌合させることでこれらの箱のぐらつきを防止して荷崩れを防止することができる。また、当該箱用シートは、このように下側に配設される箱の折曲部を上側に重畳される箱の切欠きに嵌合するものであるため、複数の箱を積み重ねた状態で、下側の箱の折曲部は上側の箱の底板と略同一平面上に配設される。そのため、当該箱用シートは、下側の箱の折曲部によって上側の箱に収容される物品を傷付けるおそれが低い。また、当該箱用シートは、下側の箱の折曲部が上側の箱の底板と略同一平面上に配設されることによって、物品の収容スペースをより広く確保することができる。さらに、当該箱用シートは、複数の箱を積み重ねる際に、例えば一方の箱を他方の箱の真上に重ねたうえ、この一方の箱の切欠きが他方の箱の折曲部に嵌合するように一方の箱をスライドさせればよいので、複数の箱の積み重ね作業をスムーズに行うことができる。また、当該箱用シートは、積み重ねられた複数の箱から上側の箱を積み下ろす場合、上側の箱を若干程度持ち上げるだけでよいので、積み下ろし作業が容易である。
【００２０】
当該箱用シートに用いられるシートとしては、箱の形状を維持できる程度の強度を有し、かつ適度な反発力を有している限り特に限定されるものではなく、例えば段ボールシート、厚紙等の紙製シート、合成樹脂製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。
【００２１】
上記段ボールシートとしては、波形状に形成された中芯原紙をライナーに貼り合わせたものであって、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
（底板部）
底板部１は、対向する２対の側辺を有する略方形状に形成されている。底板部１の長手方向長さとしては、特に限定されるものではないが、例えば３０ｃｍ以上１００ｃｍ以下とすることができる。また、底板部１の短手方向長さとしては、特に限定されるものではないが、例えば２０ｃｍ以上６０ｃｍ以下とすることができる。なお、底板部１は、必ずしも長手方向及び短手方向を有する長方形状に形成される必要はなく、正方形状に形成されてもよい。
【００２３】
切欠き１０ａ〜１０ｄは、底板部１の４隅に形成されている。具体的には、切欠き１０ａ〜１０ｄは、底板部１の隣接する２辺の端部同士を連結する略部分円弧状の連結辺１１ａ〜１１ｄによって画定されている。なお、切欠き１０ａ〜１０ｄは、本実施形態においては略部分円弧状の連結辺１１ａ〜１１ｄによって画定されることで略扇形状に形成されているが、切欠き１０ａ〜１０ｄの形状は、組立状態における平面視で重なり合う折曲部６ａ〜６ｄの形状に対応して適宜設計可能であり、例えば三角形、方形、部分多角形等であってもよい。また、各切欠き１０ａ〜１０ｄの形状は必ずしも同一である必要はない。
【００２４】
各切欠き１０ａ〜１０ｄの底板部１の長手方向と平行方向の長さ（最大長さ）の下限としては、２ｃｍが好ましく、３ｃｍがより好ましく、４ｃｍがさらに好ましい。一方、上記長さの上限としては、１０ｃｍが好ましく、８ｃｍがより好ましく、６ｃｍがさらに好ましい。上記長さが上記下限に満たないと、当該箱用シートを組み立ててなる複数の箱を重ね合せた際に、箱のぐらつきを的確に防止できないおそれがある。逆に、上記長さが上記上限を超えると、底板部１の強度が不十分となるおそれがある。
【００２５】
各切欠き１０ａ〜１０ｄの底板部１の短手方向と平行方向の長さ（最大長さ）の下限としては、３ｃｍが好ましく、４ｃｍがより好ましく、５ｃｍがさらに好ましい。一方、上記長さの上限としては、１０ｃｍが好ましく、８ｃｍがより好ましく、７ｃｍがさらに好ましい。上記長さが上記下限に満たないと、当該箱用シートを組み立ててなる複数の箱を重ね合せた際に、箱のぐらつきを的確に防止できないおそれがある。逆に、上記長さが上記上限を超えると、底板部１の強度が不十分となるおそれがある。
【００２６】
底板部１の長手方向長さに対する各切欠き１０ａ〜１０ｄのこの長手方向と平行方向の長さ（最大長さ）の比の下限としては、０．０３が好ましく、０．０５がより好ましく、０．０７がさらに好ましい。一方、上記比の上限としては、０．２が好ましく、０．１５がより好ましく、０．１２がさらに好ましい。上記比が上記下限に満たないと、当該箱用シートを組み立ててなる複数の箱を重ね合せた際に、箱のぐらつきを的確に防止できないおそれがある。逆に、上記比が上記上限を超えると、底板部１の強度が不十分となるおそれがある。
【００２７】
底板部１の短手方向長さに対する各切欠き１０ａ〜１０ｄのこの短手方向と平行方向の長さ（最大長さ）の比の下限としては、０．０５が好ましく、０．１がより好ましく、０．１５がさらに好ましい。一方、上記比の上限としては、０．３５が好ましく、０．３がより好ましく、０．２５がさらに好ましい。上記比が上記下限に満たないと、当該箱用シートを組み立ててなる複数の箱を重ね合せた際に、箱のぐらつきを的確に防止できないおそれがある。逆に、上記比が上記上限を超えると、底板部１の強度が不十分となるおそれがある。
【００２８】
底板部１に形成される各切欠き１０ａ〜１０ｄの面積の下限としては、５ｃｍ２が好ましく、１０ｃｍ２がより好ましく、２０ｃｍ２がさらに好ましい。一方、上記面積の上限としては、４０ｃｍ２が好ましく、３５ｃｍ２がより好ましく、３０ｃｍ２がさらに好ましい。上記面積が上記下限に満たないと、当該箱用シートを組み立ててなる複数の箱を重ね合せた際に、箱のぐらつきを的確に防止できないおそれがある。逆に、上記面積が上記上限を超えると、底板部１の強度が不十分となるおそれがある。なお、各切欠き１０ａ〜１０ｄの面積は、必ずしも全て同一である必要はないが、全ての切欠き１０ａ〜１０ｄの面積が上記範囲に含まれることが好ましく、全ての切欠き１０ａ〜１０ｄの面積が上記範囲でかつ同一であることがより好ましい。
【００２９】
切欠き１０ａ〜１０ｄは、当該箱用シートを組み立ててなる複数の箱を容易かつ確実に積み重ねられるよう、組立状態における平面視で複数の折曲部６ａ〜６ｄが存在する領域よりも若干大きく形成されることが好ましい。
【００３０】
組立状態での平面視における複数の折曲部６ａ〜６ｄの円弧状部分の外縁と切欠き１０ａ〜１０ｄの円弧状部分の外縁との平均間隔の下限としては、０ｍｍであり、０．２ｍｍが好ましく、０．４ｍｍがより好ましい。一方、上記平均間隔の上限としては、２ｍｍが好ましく、１ｍｍがより好ましい。上記平均間隔が上記下限に満たないと、当該箱用シートを組み立ててなる複数の箱を積み重ねる際に、下側に配設される箱の複数の折曲部を上側に重畳される箱の切欠きに容易に嵌合できなくなるおそれがある。逆に、上記平均間隔が上記上限を超えると、複数の箱を積み重ねた状態で箱のぐらつきを十分に防止できないおそれがある。
【００３１】
（側板部）
複数の側板部２〜５は、各々幅方向を長手方向とする略長方形状に形成されている。底板部１及び複数の側板部２〜５の境界にはそれぞれ折り曲げ容易線が形成されている。また、第二側板部３及び第四側板部５には、組立状態で持ち手を構成する貫通孔１２，１３が形成されている。
【００３２】
組立状態における平面視で複数の折曲部６ａ〜６ｄと重なり合う側板部２〜５の下縁には、底板部１から連続して切欠き１０ａ〜１０ｄが形成されている。具体的には、切欠き１０ａ〜１０ｄは、第一側板部２及び第三側板部４における折曲部６ａ〜６ｄの延出部と対向する下縁に形成されており、かつ第二側板部３及び第四側板部５の下縁の幅方向の両端から幅方向の内側に向けて形成されている。当該箱用シートは、切欠き１０ａ〜１０ｄが組立状態における平面視で折曲部６ａ〜６ｄと重なり合う側板部２〜５の下縁に連続して形成されていることによって、当該箱用シートを組み立ててなる複数の箱を容易かつ確実に積み重ねることができる。
【００３３】
第一側板部２及び第三側板部４における複数の折曲部６ａ〜６ｄの延出部分の延出長さは、第一側板部２及び第三側板部４の他の部分（上記延出部分以外の部分）の延出方向長さ、並びに第二側板部３及び第四側板部５の全領域における延出方向長さよりも大きいことが好ましい。つまり、第一側板部２及び第三側板部４は、他の部分の上縁よりも上側に位置する突出部２ａ，４ａを有し、この突出部２ａ，４ａの上縁から折曲部６ａ〜６ｄが延出していることが好ましい。当該箱用シートは、このように突出部２ａ，４ａの上縁から折曲部６ａ〜６ｄが延出していることによって、当該箱用シートを組み立ててなる複数の箱を積み重ねる際に、下側に配設される箱の折曲部を上側に重畳される箱の切欠きにより確実に嵌合することができ、複数の箱をさらに安定的に積み重ねることができる。
【００３４】
突出部２ａ，４ａの延出方向長さは、当該箱用シートのシート厚みと略等しいことが好ましい。具体的には、当該箱用シートのシート厚みに対する突出部２ａ，４ａの延出方向長さの比の下限としては、０．５が好ましく、０．７がより好ましく、０．９がさらに好ましい。一方、上記比の上限としては、１．５が好ましく、１．３がより好ましく、１．１がさらに好ましい。上記比が上記下限に満たないと、組立状態で折曲部６ａ〜６ｄを他の箱の切欠きに的確に嵌合できないおそれがある。逆に、上記比が上記上限を超えると、他の箱の切欠きとの嵌合の確実化が促進されないことに加え、組立状態で折曲部６ａ〜６ｄの基端側が先端側に比べて突出し過ぎて、当該箱用シートを組み立ててなる箱の側板の形状が不安定になるおそれがある。
【００３５】
（折曲部）
折曲部６ａ〜６ｄは、組立状態における平面視で切欠き１０ａ〜１０ｄに含まれる領域に配設される。折曲部６ａ〜６ｄは、組立状態における平面視で底板部１の４隅に対応する位置に配設されるよう構成されている。具体的には、折曲部６ａ〜６ｄは、第一側板部２及び第三側板部４の幅方向の両端部から延出している。折曲部６ａ〜６ｄは、それぞれ略扇形に形成されており、この扇形の１辺は第一側板部２及び第三側板部４の幅方向の両端から略直線状に伸びている。また、第一側板部２及び第三側板部４と複数の折曲部６ａ〜６ｄとの境界には折り曲げ容易線が形成されている。当該箱用シートは、折曲部６ａ〜６ｄが組立状態における平面視で底板部１の４隅に対応する位置に配設されていることによって、当該箱用シートを組み立ててなる複数の箱がいずれの方向にぐらつくのも容易に防止することができ、これにより複数の箱をさらに安定的に積み重ねることができる。また、かかる構成によると、折曲部６ａ〜６ｄが物品の収容作業及び取り出し作業の妨げとなるおそれが低い。なお、折曲部６ａ〜６ｄの具体的形状としては、略扇形に限定されるものではなく、三角形、方形、多角形等とすることも可能である。
【００３６】
折曲部６ａ〜６ｄは、当該箱用シートを組み立ててなる複数の箱を容易かつ確実に積み重ねられるよう、組立状態での平面視において切欠き１０ａ〜１０ｄが存在する領域よりも若干小さく形成されることが好ましい。
【００３７】
各折曲部６ａ〜６ｄの延出方向長さ（最大長さ）の下限としては、３ｃｍが好ましく、４ｃｍがより好ましく、５ｃｍがさらに好ましい。一方、各折曲部６ａ〜６ｄの延出方向長さの上限としては、１０ｃｍが好ましく、８ｃｍがより好ましく、７ｃｍがさらに好ましい。各折曲部６ａ〜６ｄの延出方向長さが上記下限に満たないと、当該箱用シートを組み立ててなる複数の箱を重ね合せた際に、箱のぐらつきを的確に防止できないおそれがある。逆に、各折曲部６ａ〜６ｄの延出方向長さが上記上限を超えると、底板部１に形成される切欠き１０ａ〜１０ｄの大きさが大きくなり、底板部１の強度が不十分となるおそれがある。
【００３８】
各折曲部６ａ〜６ｄの幅方向長さ（最大長さ）の下限としては、２ｃｍが好ましく、３ｃｍがより好ましく、４ｃｍがさらに好ましい。一方、各折曲部６ａ〜６ｄの幅方向長さの上限としては、１０ｃｍが好ましく、８ｃｍがより好ましく、６ｃｍがさらに好ましい。各折曲部６ａ〜６ｄの幅方向長さが上記下限に満たないと、当該箱用シートを組み立ててなる複数の箱を重ね合せた際に、箱のぐらつきを的確に防止できないおそれがある。逆に、各折曲部６ａ〜６ｄの幅方向長さが上記上限を超えると、底板部１に形成される切欠き１０ａ〜１０ｄの大きさが大きくなり、底板部１の強度が不十分となるおそれがある。
【００３９】
（連結片）
連結片７ａ〜７ｄは、組立状態で後述する一対の支持片８，９に形成される係止孔１４，１５に挿入され、これにより第二側板部３及び第四側板部５に連結される。連結片７ａ〜７ｄは、折曲部６ａ〜６ｄから、第一側板部２及び第三側板部４の幅方向外側に延出している。具体的には、折曲部６ａ〜６ｄの上記幅方向外側の端縁には一対のスリットが形成されており、連結片７ａ〜７ｄは、この一対のスリットに囲まれる部分から延出している。また、この一対のスリットの上記幅方向内側の端部間には折り曲げ容易線が形成されている。この一対のスリットの長さとしては、当該箱用シートのシート厚みと略同一とされている。
【００４０】
各連結片７ａ〜７ｄは、略方形状の基部と、この基部の延出端側に形成され、内側（底板部１側）に突出する挿入部と、この基部の基端側に形成され、外側（底板部１と反対側）に突出する係止部とを有する。当該箱用シートは、このように各連結片７ａ〜７ｄが上記挿入部を有することによって、各連結片７ａ〜７ｄを係止孔１４，１５に容易に挿入することができる。また、当該箱用シートは、各連結片７ａ〜７ｄが上記係止部を有することによって、各連結片７ａ〜７ｄを係止孔１４，１５と確実に係合することができる。
【００４１】
（支持片）
一対の支持片８，９は、各々略方形状に形成されている。一対の支持片８，９は、組立状態で折曲部６ａ〜６ｄを下側から支持する。当該箱用シートは、一対の支持片８，９を有することによって、当該箱用シートを組み立ててなる複数の箱をさらに安定的に積み重ねることができる。また、当該箱用シートは、かかる構成によると、組立状態における平面視で切欠き１０ａ〜１０ｄと重なり合う部分を一対の支持片８，９が覆うので、切欠き１０ａ〜１０ｄを避けて物品を収容し易い。
【００４２】
一対の支持片８，９の延出方向長さとしては、特に限定されないが、組立状態で折曲部６ａ〜６ｄの全体を支持することができ、かつ物品の収容及び取り出し作業の妨げとならないよう、折曲部６ａ〜６ｄの幅方向長さと略同一であることが好ましい。具体的には、一対の支持片８，９の延出方向長さの下限としては、２ｃｍが好ましく、３ｃｍがより好ましく、４ｃｍがさらに好ましい。一方、一対の支持片８，９の延出方向長さの上限としては、１０ｃｍが好ましく、８ｃｍがより好ましく、６ｃｍがさらに好ましい。
【００４３】
一対の支持片８，９は、基端側かつ幅方向両端側に一対の係止孔１４，１５を有する。また、一対の支持片８，９と第二側板部３及び第四側板部５との境界には折り曲げ容易線が形成されている。係止孔１４，１５は、上記折り曲げ容易線に沿うように細長状に形成されている。また、係止孔１４，１５の内側の端部には、折曲部６ａ〜６ｄの挿入及び抜出を容易化するための切込が形成されている。
【００４４】
［箱］
次に、図２を参照して、図１の当該箱用シートを組み立ててなる箱２１について説明する。当該箱２１は、底板部１から側板部２〜５をそれぞれ立ち上げたうえ、一対の支持片８，９を内側に折り曲げ、さらに係止孔１４，１５に連結片７ａ〜７ｄを挿入することで組み立てられる。
【００４５】
当該箱２１は、一対の側板部（第一側板部２及び第三側板部４）の幅方向の両端部から延出される折曲部６ａ〜６ｄが隣接する側板部（第二側板部３及び第四側板部５）の上縁に載置されている。また、これらの折曲部６ａ〜６ｄは、平面視で側板部１の４隅に対応する位置に配設されている。当該箱２１は、平面視における底板部１の複数の折曲部６ａ〜６ｄと重なり合う位置に切欠き１０ａ〜１０ｄが形成されている。当該箱２１は、対向する他対の側板部（第二側板部３及び第四側板部５）の上縁から延出する一対の支持片８，９が折曲部６ａ〜６ｄを下側から支持している。さらに、当該箱２１は、切欠き１０ａ〜１０ｄが平面視で折曲部６ａ〜６ｄと重なり合う側板部２〜５の下縁に連続して形成されている。
【００４６】
＜積み重ね状態＞
続いて、図３及び図４を参照して、当該箱２１の上に当該箱２１と同一の箱２１’を積み重ねた状態について説明する。図３に示すように、箱２１及び箱２１’は、箱２１’の４つの切欠きに箱２１の折曲部６ａ〜６ｄを嵌合することで積み重ねられている。箱２１及び箱２１’は、例えば箱２１を箱２１’の真上に重ねたうえ、箱２１の切欠き１０ａ〜１０ｄが箱２１’の４つの折曲部にそれぞれ嵌合するように箱２１をスライドさせることによって積み重ねられる。
【００４７】
箱２１及び箱２１’の積み重ね状態において、箱２１’の一対の支持片は箱２１の底板部１の下面に当接しており、箱２１’の４つの折曲部は箱２１の底板部１と同一平面上に配設されている。また、図４に示すように、箱２１の切欠き１０ａ〜１０ｄは、側板部２〜５の下縁まで形成されており、箱２１’の各折曲部は箱２１の側板部２〜５の下縁に形成される切欠き１０ａ〜１０ｄを埋めるよう配設されている。
【００４８】
なお、箱２１を箱２１’から積み下ろす場合には、例えば箱２１をシート厚み分程度持ち上げてスライドさせればよい。
【００４９】
当該箱２１は、同一の形状を有する箱２１’との積み重ね状態における荷崩れを防止することができると共に、内部に収容される物品を傷付けるおそれが低い。また、当該箱２１は、箱２１’との積み重ね作業及び積み下ろし作業を容易に行うことができる。
【００５０】
［その他の実施形態］
なお、本考案の箱用シートは、上記態様の他、種々の変更、改良を施した態様で実施することができる。例えば、折曲部は必ずしも組立状態における平面視で底板部の４隅に対応する位置に配設されるよう構成される必要はない。折曲部は、例えば対向する一対の側板部の上縁の一方の端部のみから延出していてもよい。また、折曲部は、例えば対向する一対の側板部の幅方向の端部以外の部分から延出していてもよい。
【００５１】
当該箱用シートは、必ずしも組立状態で折曲部を下側から支持する一対の支持片を有する必要はない。当該箱用シートは、例えばこの一対の支持片に代えて、組立状態で一対の側板部の内側に折り重ねられる一対の折込片を有していてもよい。
【００５２】
当該箱用シートは、必ずしも切欠きが側板部の下縁に連続して形成されていなくてもよい。当該箱用シートは、切欠きが側板部の下縁に連続して形成されていない場合でも、例えば組立状態で各側板部の上縁が底板部の側辺よりも内側に位置するように構成することによって、複数の箱を好適に積み重ねることができる。
【００５３】
当該箱用シートは、例えば４つの側板部の延出長さが全領域において同一であってもよい。当該箱用シートは、かかる構成を有する場合でも、例えば組立状態で各折曲部を一対の支持片の上に重ねて配設することで複数の箱を好適に積み重ねることができる。
【産業上の利用可能性】
【００５４】
以上のように、本考案の箱用シートは、複数の箱を積み重ねた際の荷崩れを防止することができると共に、内部に収容される物品を傷付けるおそれが低く、かつ積み重ね作業性及び積み下ろし作業性に優れるので、食品等を収容して店舗に陳列する陳列箱用シートとして適している。
【符号の説明】
【００５５】
１  底板部
２  第一側板部
２ａ  突出部
３  第二側板部
４  第三側板部
４ａ  突出部
５  第四側板部
６ａ〜６ｄ  折曲部
７ａ〜７ｄ  連結片
８，９  支持片
１０ａ〜１０ｄ  切欠き
１１ａ〜１１ｄ  連結辺
１２，１３  貫通孔
１４，１５  係止孔
２１，２１’  箱
【図１】
0003202074.tif 000003
【図２】
0003202074.tif 000004
【図３】
0003202074.tif 000005
【図４】
0003202074.tif 000006